(57)【要約】【課題】免震装置に関し、設置作業性を良好にし、かつ、免震性能を向上させることを目的とする。【解決手段】装置筐体１全体を支持する装置支持台２と、  装置筐体１の設置床面３に設置され、装置支持台２の被支承部４を各被支承部４毎に設けられる底面が曲率面からなる皿状の受け部５により支承する取付ベース６と、  装置支持台２を取付ベース６上の所定の初期位置に付勢する付勢ばね７とを有する。【選択図】  図１
2007298082.tif 000002
【特許請求の範囲】
【請求項１】
装置筐体全体を支持する装置支持台と、
装置筐体の設置床面に設置され、装置支持台の被支承部を各被支承部毎に設けられる底面が曲率面からなる皿状の受け部により支承する取付ベースと、
装置支持台を取付ベース上の所定の初期位置に付勢する付勢ばねとを有する免震装置。
【請求項２】
前記付勢ばねは、定荷重ばねにより形成される請求項１記載の免震装置。
【請求項３】
前記被支承部は天井面が曲率面からなる皿を伏せた形状に形成され、
受け部と被支承部との間には、球体が転動自在に介装される請求項１または２記載の免震装置。
【発明の詳細な説明】
【技術分野】
【０００１】
本発明は、免震装置に関するものである。
【背景技術】
【０００２】
地震の際の振動を吸収するための免震装置としては、特許文献１に記載されたものが知られている。この従来例において、構造体（装置筐体）の底壁には球体を保持するハウジングが固定される。一方、基盤である地盤（設置床面）には受け皿が固定され、装置筐体は、受け皿により球体を支承されて所定位置に保持される。
【０００３】
地震により設置床面が水平移動すると、装置筐体側の球体が受け皿上を転動して装置筐体と設置床面との間の相対移動を許容し、装置筐体への衝撃力の負荷を防止する。
【０００４】
受け皿の底面は、中心部が低い曲率面により形成されており、装置筐体の設置床面に対する相対移動しながら並進エネルギーを吸収し、地震終了後には、引張ばねの復元力により原位置に復帰する。
【特許文献１】特開平９-２５７３７号公報
【発明の開示】
【発明が解決しようとする課題】
【０００５】
しかし、上述した従来例において、設置床面の設置に際しては、装置筐体のハウジング固定箇所に対応させて複数の受け皿を個別に設置床面に配置する必要があり、設置作業性に劣るという欠点がある。また、受け皿の設置床面への固定面積は小さなために、各受け皿はアンカーボルト等を使用して設置床面に固定する必要があり、この点も設置作業性の悪化の原因となる。
【０００６】
さらに、引張ばねは受け皿単位に装着されるために、引張ばねの収納スペースも狭くなり、引張ばねを小型化する必要がある。一方、地震時の横移動力を効果的に吸収して装置筐体に衝撃を与えないためには、引張ばねは、撓みの変化に対してばね力が緩やかに変化する特性をもつ必要がある。しかし、小型の引張ばねでは、コイルスプリングを例に取ると、線径、中心径、巻き数等の制約から、十分なばね力を得るためには、ばね定数が過大になり、振動時の衝撃吸収効果を期待することはできない。この結果、上述した従来例においては、引張ばねは、実質的に原点復帰機能しか期待できず、高い衝撃エネルギー吸収能を有することはできない。
【０００７】
本発明は、以上の欠点を解消すべくなされたものであって、設置作業性の良好で、かつ、免震性能も良好な免震装置の提供を目的とする。
【課題を解決するための手段】
【０００８】
免震装置は、設置床面３に設置される取付ベース６上に装置支持台２を移動自在に支承して形成され、装置筐体１は、装置支持台２上に適宜の手段で固定される。免震装置に設置は、設置床面３上に取付ベース６を設置し、さらにこの上に支承される装置支持台２上に装置筐体１を固定するだけで完了するために、設置作業性が良好になり。また、装置筐体１全体を支持することができる大きさの装置支持台２を支承する取付ベース６は、設置床面３に対する設置面積も大きくなるために、必ずしもアンカーボルト等を使用して設置床面３に固定する必要はなく、設置床面３上に載置するだけで位置ずれ、倒伏等を防止することができる。
【０００９】
さらに、取付ベース６の受け皿と装置支持台２側の被支承部４との位置関係は、予め正確に決定されているために、従来例のように、装置筐体１側のハウジングの取付位置に正確に対応させて各受け皿を設置床面３に固定するという煩わしい作業が不要になる。
【００１０】
加えて、取付ベース６上の広いスペースを付勢ばね７の配置スペースとして利用することができるために、付勢ばね７のばね定数等の設定の自由度が高くなる。この結果、付勢ばね７を装置筐体１の移動エネルギーの吸収体として機能させることができる。
【発明の効果】
【００１１】
本発明によれば、設置作業性を良好にし、かつ、免震性能も向上させることができる。
【発明を実施するための最良の形態】
【００１２】
図１、２に示すように、免震装置は、取付ベース６と、取付ベース６上に配置される装置支持台２とを有する。取付ベース６は、設置床面３の表面状態により、単に設置床面３上に載置され、あるいは、接着剤、釘等の固定手段を使用して設置床面３に固定される。
【００１３】
取付ベース６は、装置筐体１とほぼ同じ大きさの矩形形状を有し、四隅部に受け部５が形成される。受け部５は、底面が球面の凹形状を有しており、中心が最低高さとなるように配置される。
【００１４】
受け部５の底面は、後述する被支承部４が載置された際に容易に陥没等が発生しないような十分な強度、剛性が付与される。図において取付ベース６は、本体部の一部として受け部５を形成した場合が示されているが、上述した強度等の条件を満足する受け部５を本体部に連結したものであってもよい。
【００１５】
上記取付ベース６には、後述する付勢ばね７の一端を連結するためのばね連結具９が固定される。図２（ｃ）に示すように、ばね連結具９は、コ字状断面を有するピース体であり、取付ベース６に対して軸Ｃ周りに水平回転自在に連結される。
【００１６】
装置支持台２は、上記取付ベース６とほぼ等しい大きさの矩形枠部材であり、四隅部に脚挿通孔２ａを備える。装置筐体１は、脚挿通孔２ａに設置脚１ａを挿通させた後、適宜手段により妄りに移動しないように固定される。
【００１７】
さらに、装置支持台２の裏面には杆状の被支承部４が立設される。被支承部４は、図２に示すように、装置支持台２の中心が取付ベース６の中心に一致する位置（初期位置）で重なった状態で軸心が受け部５の球面の中心を通過する位置に配置される。これら被支承部４の自由端は球面形状により形成されており、受け部５の底面上を適度の摺動抵抗を伴って移動可能とされる。
【００１８】
７は付勢ばねで、中央部に配置される４個のばね連結具９から各々被支承部４毎に装着されて、装置支持台２を中心方向に付勢する。付勢ばね７には、引張コイルばね等が使用できるが、この実施の形態においては、撓み量に対して復元力がほぼ一定な定荷重ばね（コンストンバネ）が使用される。この付勢ばね７は、図２（ｃ）に示すように、被支承部４側端部に固定される連結片１０を被支承部４に水平回転自在に連結して固定される。なお、図２（ｃ）において１１は連結片１０の被支承部４からの脱落を防止するための止め輪を示す。
【００１９】
したがってこの実施の形態において、地震により設置床面３が振動すると、図２（ｃ）、図３に示すように、被支承部４が受け部５の底面上を移動しながら横揺れを吸収する。同時に、付勢ばね７は装置支持台２と取付ベース６との偏位方向に伸縮しながら移動エネルギーを吸収し、かつ、移動速度を緩めて装置筐体１への衝撃発生を防止する。
【００２０】
図４に本発明の他の実施の形態を示す。なお、以下の説明において、上述した実施の形態と実質的に同一の構成要素は、図中に同一符号を付して説明を省略する。この実施の形態において、装置支持台２には、水平姿勢のスリット２ｂが開設され、付勢ばね７の連結片１０が挿入される。この連結片１０は、装置支持台２にねじ込まれるボルト１２により抜け止めされ、水平回転自在とされる（図５（ｂ）参照）。
【００２１】
また、図５（ｃ）に示すように、被支承部４は取付ベース６側の受け部５を反転した天井面が球面からなる皿形状に形成される。この被支承部４は、初期位置において天井面の球面中心と受け部５の球面中心とが同一垂直線上に位置するように配置される。被支承部４は、受け部５上に転動自在に載置された球体８上に載せられる。
【００２２】
したがってこの実施の形態にいて、地震により設置床面３が横揺れすると、図５（ｄ）に示すように、原位置に留まろうとする装置筐体１と設置床面３に追随して横方向に移動する取付ベース６間のずれは、球体８が転がって両者が相対移動することに吸収され、装置筐体１への衝撃力の負荷が避けられる
また、被支承部４が伏せた椀形状をしているために、中心からずれた球体８には、受け部５と被支承部４の双方から中心位置復帰方向の力が与えられる。この結果、球体８転動時における地震エネルギーの吸収能が高く、さらに、地震終了時の初期位置への復帰力も高くできる。
【図面の簡単な説明】
【００２３】
【図１】本発明を示す図で、（ａ）は斜視図、（ｂ）は側面図である。
【図２】免震装置を示す図で、（ａ）は平面図、（ｂ）は（ａ）の２Ｂ-２Ｂ線断面図、（ｃ）は被支承部の拡大図である。
【図３】免震動作を示す平面図である。
【図４】本発明の他の実施の形態を示す図で、（ａ）は斜視図、（ｂ）は平面図である。
【図５】図４の要部を示す図で、（ａ）は図４（ｂ）の５Ａ-５Ａ線断面図、（ｂ）は連結片の装置支持台への連結部を示す拡大図、（ｃ）は被支承部を示す拡大図、（ｄ）は免震動作を示す（ｃ）に対応する図である。
【符号の説明】
【００２４】
１        装置筐体
２        装置支持台
３        設置床面
４        被支承部
５        受け部
６        取付ベース
７        付勢ばね
８        球体
【図１】
2007298082.tif 000003
【図２】
2007298082.tif 000004
【図３】
2007298082.tif 000005
【図４】
2007298082.tif 000006
【図５】
2007298082.tif 000007